(57)【要約】【課題】接続可能な端子の種類を維持しつつＡＶ端子の設置面積を小さくし、小型化と使い勝手の向上とを促進するＡＶ機器を提供することである。【解決手段】ＡＶ機器は、コンポジット端子のジャックとＹ端子のジャックとを１つにした兼用ジャック３１と、コンポジット信号用のコンポジット配線４２と、Ｙ信号用のＹ配線４３と、Ｃｂ端子のジャック３２に挿入されたプラグによって押されるスイッチャー３９と、兼用ジャック３１に接続され、スイッチャー３１に押された場合、Ｙ配線４３に接触し、一方、スイッチャー３９に押されていない場合、コンポジット配線４２に接触する切換金具３７とを備えた構成とする。【選択図】図３
2008172390.tif 000002
【特許請求の範囲】
【請求項１】
コンポジット端子と、Ｙ端子、Ｃｂ端子及びＣｒ端子からなるコンポーネント端子と、Ｓ端子とを備えたＡＶ機器において、
コンポジット端子のジャックとＹ端子のジャックとを１つにした兼用ジャックと、
コンポジット信号用のコンポジット配線と、
Ｙ信号用のＹ配線と、
Ｃｂ端子のジャックにプラグが挿入された場合、前記兼用ジャックとＹ配線とを電気的に接続し、一方、Ｃｂ端子のジャックにプラグが挿入されていない場合、前記兼用ジャックと前記コンポジット配線とを電気的に接続する切換手段とを備え、
前記切換手段は、
Ｃｂ端子のジャックに挿入されたプラグによって押されるスイッチャーと、
前記兼用ジャックに接続された導電性の弾性体であり、前記スイッチャーに押された場合、前記Ｙ配線に接触し、一方、前記スイッチャーに押されていない場合、前記コンポジット配線に接触する切換金具とを備え、
元のＹ端子のジャックの位置に前記兼用ジャックを、元のコンポジット端子のジャックの位置にＳ端子のジャックを設けたことを特徴とするＡＶ機器。
【請求項２】
コンポジット端子と、Ｙ端子、Ｃｂ端子及びＣｒ端子からなるコンポーネント端子とを備えたＡＶ機器において、
コンポジット端子のジャックとＹ端子のジャックとを１つにした兼用ジャックと、
コンポジット信号用のコンポジット配線と、
Ｙ信号用のＹ配線と、
Ｃｂ端子のジャックにプラグが挿入された場合、前記兼用ジャックとＹ配線とを電気的に接続し、一方、Ｃｂ端子のジャックにプラグが挿入されていない場合、前記兼用ジャックと前記コンポジット配線とを電気的に接続する切換手段とを備えたことを特徴とするＡＶ機器。
【請求項３】
前記切換手段は、
Ｃｂ端子のジャックに挿入されたプラグによって押されるスイッチャーと、
前記兼用ジャックに接続された導電性の弾性体であり、前記スイッチャーに押された場合、前記Ｙ配線に接触し、一方、前記スイッチャーに押されていない場合、前記コンポジット配線に接触する切換金具とを備えたことを特徴とする請求項２記載のＡＶ機器。
【請求項４】
コンポジット端子と、Ｙ端子、Ｃｂ端子及びＣｒ端子からなるコンポーネント端子とを備えたＡＶ機器において、
コンポジット端子のジャックとＹ端子のジャックとを１つにした兼用ジャックと、
コンポジット信号用のコンポジット配線と、
Ｙ信号用のＹ配線と、
Ｃｒ端子のジャックにプラグが挿入された場合、前記兼用ジャックとＹ配線とを電気的に接続し、一方、Ｃｒ端子のジャックにプラグが挿入されていない場合、前記兼用ジャックと前記コンポジット配線とを電気的に接続する切換手段とを備えたことを特徴とするＡＶ機器。
【請求項５】
前記切換手段は、
Ｃｒ端子のジャックに挿入されたプラグによって押されるスイッチャーと、
前記兼用ジャックに接続された導電性の弾性体であり、前記スイッチャーに押された場合、前記Ｙ配線に接触し、一方、前記スイッチャーに押されていない場合、前記コンポジット配線に接触する切換金具とを備えたことを特徴とする請求項４記載のＡＶ機器。
【請求項６】
前記切換手段は、電気的に切り換えを行う電子部材であることを特徴とする請求項２又は４記載のＡＶ機器。
【請求項７】
前記兼用ジャックを採用することによりなくなったコンポジット端子のジャック又はＹ端子のジャックの位置にＳ端子のジャックを設けたことを特徴とする請求項２〜６の何れかに記載のＡＶ機器。
【発明の詳細な説明】
【技術分野】
【０００１】
本発明は、コンポジット端子とコンポーネント端子とを有するＡＶ機器に関する。
【背景技術】
【０００２】
ＡＶ機器には、映像や音声を入出力するために様々なＡＶ端子が設けられている。例えば、映像用のＡＶ端子としては、コンポジット端子、Ｓ端子、コンポーネント端子、Ｄ端子などが用いられている。コンポジット端子は主にＶＨＳ、Ｓ端子はＳ−ＶＨＳ映像に使われている。また３つに分かれたコンポーネント端子は、高機能のＡＶ機器やアナログハイビジョン放送用の端子として使われてきた。そしてＤ端子はコンポーネント端子を１つにまとめた端子であり、最近の大画面テレビやＤＶＤプレーヤ／レコーダやハードディスクレコーダなどに搭載されている。
【０００３】
近年のＡＶ機器にはこれらのＡＶ端子が複数搭載されており、複数の外部機器と接続することができるようになっている。それに伴い、端子の切り換えなどに関する様々な技術が提案されている。
【０００４】
特許文献１には、ワイヤーヘッドホンのジャックが挿入された場合には、左右のスピーカに供給されるべき信号をヘッドホンに供給し、スピーカの駆動を停止する音声再生装置が開示されている。
【０００５】
特許文献２には、プラグを介して入力される外部から印加されるＡＶ信号などの実信号とその実信号の有無を示す状態信号を切り換える信号切換装置が開示されている。
【０００６】
特許文献３には、ＡＶ機器の入力切換回路において、入力端子を、同入力端子に外部から信号を入力するプラグ電極の挿入により開閉する接点を備えたジャックとするＡＶ機器の入力切換回路が開示されている。
【０００７】
特許文献４には、第１の外部端子、第２の外部端子及びアンテナ端子を有した周波数可変型アンテナ共用器と、アンテナ端子に電気的に接続された第１の切換スイッチと、第２の外部端子に電気的に接続された第２の切換スイッチと、第１の切換スイッチと第２の切換スイッチとの間に電気的に接続されたフィルタと、を備えた高周波回路装置が開示されている。
【特許文献１】特開２００５−１２４１０６号公報
【特許文献２】実開平４−１２３０９２号公報
【特許文献３】実開平４−１６６６４号公報
【特許文献４】特開２０００−３５３９７６号公報
【発明の開示】
【発明が解決しようとする課題】
【０００８】
ここで、ＡＶ機器のリアパネルに複数のＡＶ端子が設けれている場合でも実際に使用するのは一部の端子だけであることが多い。例えば、出力端子として、コンポジット端子とＳ端子とコンポーネント端子とが設けられている場合でも実際に使用するのはどれか１つだけである。したがって、ユーザの利便性を向上させるためにＡＶ端子の種類を増やすことは、その分だけ設置面積が大きくなり、機器の小型化を妨げる要因となる。さらに、端子の配置に関して設計の自由度が小さくなるので、接続しやすい位置に端子を設けることが困難になり、使い勝手が悪くなるおそれもある。
【０００９】
本発明は、接続可能な端子の種類を維持しつつＡＶ端子の設置面積を小さくし、小型化と使い勝手の向上とを促進するＡＶ機器を提供することを目的とする。
【課題を解決するための手段】
【００１０】
上記目的を達成するために本発明は、コンポジット端子と、Ｙ端子、Ｃｂ端子及びＣｒ端子からなるコンポーネント端子とを備えたＡＶ機器において、コンポジット端子のジャックとＹ端子のジャックとを１つにした兼用ジャックと、コンポジット信号用のコンポジット配線と、Ｙ信号用のＹ配線と、Ｃｂ端子のジャックにプラグが挿入された場合、前記兼用ジャックとＹ配線とを電気的に接続し、一方、Ｃｂ端子のジャックにプラグが挿入されていない場合、前記兼用ジャックと前記コンポジット配線とを電気的に接続する切換手段とを備えたことを特徴とする。
【００１１】
上記のＡＶ機器において、前記切換手段は、Ｃｂ端子のジャックに挿入されたプラグによって押されるスイッチャーと、前記兼用ジャックに接続された導電性の弾性体であり、前記スイッチャーに押された場合、前記Ｙ配線に接触し、一方、前記スイッチャーに押されていない場合、前記コンポジット配線に接触する切換金具とを備えた構成とすることができる。
【００１２】
また本発明は、コンポジット端子と、Ｙ端子、Ｃｂ端子及びＣｒ端子からなるコンポーネント端子とを備えたＡＶ機器において、コンポジット端子のジャックとＹ端子のジャックとを１つにした兼用ジャックと、コンポジット信号用のコンポジット配線と、Ｙ信号用のＹ配線と、Ｃｒ端子のジャックにプラグが挿入された場合、前記兼用ジャックとＹ配線とを電気的に接続し、一方、Ｃｒ端子のジャックにプラグが挿入されていない場合、前記兼用ジャックと前記コンポジット配線とを電気的に接続する切換手段とを備えたことを特徴とする。
【００１３】
上記のＡＶ機器において、前記切換手段は、Ｃｒ端子のジャックに挿入されたプラグによって押されるスイッチャーと、前記兼用ジャックに接続された導電性の弾性体であり、前記スイッチャーに押された場合、前記Ｙ配線に接触し、一方、前記スイッチャーに押されていない場合、前記コンポジット配線に接触する切換金具とを備えた構成とすることができる。
【００１４】
また上記のＡＶ機器において、前記切換手段は、電気的に切り換えを行う電子部材を採用してもよい。
【００１５】
また上記のＡＶ機器において、前記兼用ジャックを採用することによりなくなったコンポジット端子のジャック又はＹ端子のジャックの位置にＳ端子のジャックを設けることが望ましい。
【００１６】
本発明を具体化すると、コンポジット端子と、Ｙ端子、Ｃｂ端子及びＣｒ端子からなるコンポーネント端子と、Ｓ端子とを備えたＡＶ機器において、コンポジット端子のジャックとＹ端子のジャックとを１つにした兼用ジャックと、コンポジット信号用のコンポジット配線と、Ｙ信号用のＹ配線と、Ｃｂ端子のジャックにプラグが挿入された場合、前記兼用ジャックとＹ配線とを電気的に接続し、一方、Ｃｂ端子のジャックにプラグが挿入されていない場合、前記兼用ジャックと前記コンポジット配線とを電気的に接続する切換手段とを備え、前記切換手段は、Ｃｂ端子のジャックに挿入されたプラグによって押されるスイッチャーと、前記兼用ジャックに接続された導電性の弾性体であり、前記スイッチャーに押された場合、前記Ｙ配線に接触し、一方、前記スイッチャーに押されていない場合、前記コンポジット配線に接触する切換金具とを備え、元のＹ端子のジャックの位置に前記兼用ジャックを、元のコンポジット端子のジャックの位置にＳ端子のジャックを設けた構成となる。
【発明の効果】
【００１７】
本発明によれば、兼用ジャックを採用することにより、なくなったコンポジット端子のジャック又はＹ端子のジャックのスペースを有効に使うことができるので、端子の設置面積が小さくなり、装置の小型化を促進することができる。また、端子の配置に関して設計の自由度が大きくなるので、接続しやすい位置に端子を設けることが可能になり、使い勝手のよいＡＶ機器を提供することができる。
【発明を実施するための最良の形態】
【００１８】
以下、ＡＶ機器の一例として、ハードディスクドライブ（ＨＤＤ）一体型光ディスク装置を用いて説明する。図１は、ＨＤＤ一体型光ディスク装置１０の構成及びその周辺機器を示すブロック図である。ＨＤＤ一体型光ディスク装置１０には、テレビ等の表示装置１１と、ケーブルテレビや衛星放送等のセットトップボックス又はビデオデッキ等の映像音声記録装置に代表される外部装置１２とが接続されている。またＨＤＤ一体型光ディスク装置１０は、リモコン１３によって操作可能である。以下では、光ディスクとしてＤＶＤを例に説明する。
【００１９】
ＨＤＤ一体型光ディスク装置１０は、アンテナ１５で受信したテレビ放送信号を復調、デジタル化するチューナ１６と、チューナ１６や外部装置１２から受け取った画像音声データをＭＰＥＧ２等に準拠して圧縮符号化したり、ＨＤＤ記録再生部１８又はＤＶＤ記録再生部１９で再生された圧縮された画像データを伸長復号したりする画像音声圧縮伸長部１７と、画像音声圧縮伸長部１７から受け取った圧縮された画像音声データをＨＤＤに記録したり、ＨＤＤに記録されたデータを再生したりするＨＤＤ記録再生部１８と、画像音声圧縮伸長部１７から受け取った圧縮された画像音声データを挿入されたＤＶＤに記録したり、ＤＶＤに記録されたデータを再生したりするＤＶＤ記録再生部１９と、各種設定値を表示装置１１の一部に表示しながら設定できるようにするＯＳＤ（On Screen Display）部２０と、ＯＳＤ部２０からの画像信号をアナログ化し、表示装置１１へ出力する画像出力部２１と、画像音声圧縮伸長部１７からの音声信号をアナログ化し、表示装置１１へ出力する音声出力部２２と、画像出力部２１と表示装置１１とを接続するための出力端子２３と、音声出力部２２と表示装置１１とを接続するための出力端子２４と、ＲＯＭやＲＡＭからなるメモリ２５と、リモコン１３からの信号を受信するリモコン受信部２６と、外部装置１２の接続を可能にする外部Ｉ／Ｆ２７と、外部Ｉ／Ｆ２７と外部装置１２とを接続する入出力端子２８と、ＨＤＤ一体型光ディスク装置１０の各部を制御する制御部２９とを備えている。
【００２０】
上記の出力端子２３、２４や入出力端子２８は、ＨＤＤ一体型光ディスク装置１０のリアパネル又はフロントパネルに設けられている。図２は、リアパネルに設けられた出力端子２３、２４の一例を示す図である。出力端子は全てプラグを挿入するためのジャックになっている。画像用の出力端子２３としては、Ｓ端子のジャック３０と、コンポジット端子とコンポーネントのＹ端子とを１つにした兼用ジャック３１と、コンポーネントのＣｂ端子のジャック３２と、コンポーネントのＣｒ端子のジャック３３とが設けられている。一方、音声用の出力端子２４としては、Ｌ端子のジャック３４と、Ｒ端子のジャック３５とが設けられている。
【００２１】
兼用ジャック３１は、従来コンポーネントのＹ端子のジャックが設けられていた位置に設けられている。Ｓ端子のジャック３０は、従来コンポジット端子のジャックが設けられていた位置に設けられている。また、ジャック３０と兼用ジャック３１は逆に配置してもよい。なお、図２の出力端子２３、２４の配置は一例であり、プラグの脱着のしやすい使い勝手のよい配置であればその配置には特に限定はない。さらに、Ｄ端子など他の端子を並べて配設してもよい。また、入出力端子２８は出力端子２３、２４と同様の構成とすることができるので説明を省略する。
【００２２】
図３は、図２の出力端子２３、２４の一部を装置内側から見た図である。図３では、兼用ジャック３１とジャック３２、３３とを図示しており、プラグが挿入されていない状態を示している。
【００２３】
兼用ジャック３１及びジャック３２、３３は樹脂板３６を貫通するように設けられている。兼用ジャック３１にはコンポジット信号又はコンポーネントＹ信号を伝送するための切換金具３７が繋げられている。切換金具３７は、図４にその斜視図を示すように、導電性の弾性体であればよく、例えば金属板を加工したものである。切換金具３７は、先端が筒状に曲げられ兼用ジャック３１に取り付けられプラグと接触する端子部３７ａと、第１〜第４折曲部３７ｂ〜３７ｅとからなる。
【００２４】
また、切換金具３７の第２折曲部３７ｃと第３折曲部３７ｄとの間の谷側にはゴム板３８が貼着されている。そしてゴム板３８の切換金具３７と反対面には、スイッチャー３９が貼着されている。スイッチャー３９は、図５にその斜視図を示すように、金属板や樹脂板を用いることができ、第１及び第２折曲部３９ａ、３９ｂを有している。なお、スイッチャー３９が非導電性材料である場合はゴム板３８を省略することもできる。図３のように、第２折曲部３９ｂから端部までの面がゴム板３８に貼着され、第１折曲部３９ａ付近がＣｂ端子のジャック３２に重なっている。この構成により、ジャック３２にプラグが挿入された場合、プラグによってスイッチャー３９が押しのけられ、スイッチャー３９は図３において右方向へ押される。
【００２５】
また、Ｃｂ端子のジャック３２にはＣｂ信号を伝送するためのＣｂ配線４０が、Ｃｒ端子のジャック３３にはＣｒ信号を伝送するためのＣｒ配線４１が繋げられている。さらに、樹脂板３６には、コンポジット信号を伝送するためのコンポジット配線４２と、コンポーネントＹ信号を伝送するためのＹ配線４３とが固定されている。これらの配線４０〜４３は金属板を加工したものを用いることができる。コンポジット配線４２及びＹ配線４３は、移動する切換金具３７と接触可能な位置に設けられている。
【００２６】
図３のように、Ｃｂ端子のジャック３２にプラグが挿入されていない場合は、切換金具３７に負荷が掛かっていないので、切換金具３７の第４折曲部３７ｅから先端にかけての部分がコンポジット配線４２に接触している。これにより、兼用ジャック３１はコンポジット端子として使用することができる。
【００２７】
図６は、図３のジャック３２にプラグが挿入された場合の図である。図中、プラグは省略してある。図６のように、Ｃｂ端子のジャック３２にプラグが挿入された場合は、プラグによってスイッチャー３９が押しのけられることにより、弾性を有する切換金具３７が押され、切換金具３７の第３折曲部がＹ配線４３に接触する。これにより、兼用ジャック３１はコンポーネントＹ端子として使用することができる。そして、Ｃｂ端子のジャック３２からプラグを抜くと、切換金具３７はその弾性によって再び図３の状態に戻る。
【００２８】
上記のような構成によれば、コンポジット端子を用いて機器を接続する場合は、Ｃｂ端子は使用しないので兼用ジャック３１はコンポジット端子として問題なく使用でき、一方、コンポーネント端子を用いて機器を接続する場合は、Ｃｂ端子を使用するので兼用ジャック３１はコンポーネントＹ端子として問題なく使用できる。
【００２９】
なお、上記の実施形態においてＣｂ端子とＣｒ端子とは逆でも同様の効果を得ることができる。つまり、Ｃｒ端子のジャックにプラグが挿入されている場合に兼用ジャック３１がコンポーネントＹ端子として使用できる状態となる。
【００３０】
また、上記の実施形態においては、スイッチャー３９や切換金具３７をコンポジット配線４２とＹ配線４３との切換手段として用いたが、この切換手段としては、他に電気的に切り換えを行う電子部材を用いても同様の効果を得ることができる。その場合、Ｃｂ端子又はＣｒ端子が接続されたことを検知して電気的に兼用ジャック３１の接続先をコンポジット配線４２からＹ配線４３へ切り換える構成とすればよい。
【００３１】
このように、本発明によれば、兼用ジャック３１を採用することにより、なくなったコンポジット端子のジャック又はＹ端子のジャックの位置にＳ端子のジャック３０を設けたりしてスペースを有効に使うことができるので、端子の設置面積が小さくなり、装置の小型化を促進することができる。また、端子の配置に関して設計の自由度が大きくなるので、接続しやすい位置に端子を設けることが可能になり、使い勝手が向上する。
【産業上の利用可能性】
【００３２】
本発明のＡＶ機器は、コンポジット端子とコンポーネント端子とを有する機器に利用することができ、例えば、テレビ、ＤＶＤプレーヤ／レコーダ、ハードディスクレコーダ、セットトップボックスなどに利用することができる。
【図面の簡単な説明】
【００３３】
【図１】本発明のＨＤＤ一体型光ディスク装置の構成及びその周辺機器を示すブロック図である。
【図２】リアパネルに設けられた出力端子の一例を示す図である。
【図３】図２の出力端子の一部を装置内側から見た図である。
【図４】切換金具の斜視図である。
【図５】スイッチャーの斜視図である。
【図６】図３のジャックにプラグが挿入された場合の図である。
【符号の説明】
【００３４】
１０    ＨＤＤ一体型光ディスク装置（ＡＶ機器）
３０    Ｓ端子のジャック
３１    兼用ジャック
３２    Ｃｂ端子のジャック
３３    Ｃｒ端子のジャック
３７    切換金具
３９    スイッチャー
【図１】
2008172390.tif 000003
【図２】
2008172390.tif 000004
【図３】
2008172390.tif 000005
【図４】
2008172390.tif 000006
【図５】
2008172390.tif 000007
【図６】
2008172390.tif 000008